(57)【要約】      （修正有）【課題】ドック端子またはＬｉｇｈｔｎｉｎｇコネクタまたはｍｉｃｒｏＵＳＢ端子を有する携帯端末を複数台同時に充電でき、携帯しての使用にも便利な充電装置を提供する。【解決手段】外部の電力供給源に着脱自在に接続され、電力受入を介する電力受入端子と、その電力受入端子からの電力受入と、充電対象の携帯端末への電力供給とを少なくとも司る制御部と、充電対象の携帯端末に着脱自在に接続され、電力供給を介する電力供給端子３０と、を備えて、携帯端末に着脱自在に接続され、その携帯端末への電力供給に供する充電装置１０とする。さらに、電力受入端子が、ＵＳＢ端子であり、電力供給端子３０が、複数のドック端子３４，３５またはＬｉｇｈｔｎｉｎｇコネクタ３６またはｍｉｃｒｏＵＳＢ端子３７であり、その複数のドック端子またはＬｉｇｈｔｎｉｎｇコネクタまたはｍｉｃｒｏＵＳＢ端子が、分岐したケーブル３１〜３３に連結された構成とする。ＵＳＢ端子に代えて、ＡＣアダプター端子を用いてもよい。【選択図】図１
0003183177.tif 000002
【実用新案登録請求の範囲】
【請求項１】
外部の電力供給源に着脱自在に接続され、電力受入を介する電力受入端子と、
その電力受入端子からの電力受入と、充電対象の携帯端末への電力供給とを少なくとも司る制御部と、
充電対象の携帯端末に着脱自在に接続され、電力供給を介する電力供給端子と、
を備え、携帯端末に着脱自在に接続されて、その携帯端末への電力供給に供する充電装置において、
電力受入端子が、ＵＳＢ端子であり、
電力供給端子が、複数のドック端子またはLightningコネクタまたはｍｉｃｒｏＵＳＢ端子であり、その複数のドック端子またはLightningコネクタまたはｍｉｃｒｏＵＳＢ端子が、分岐したケーブルに連結された
ことを特徴とする充電装置。
【請求項２】
外部の電力供給源に着脱自在に接続され、電力受入を介する電力受入端子と、
その電力受入端子からの電力受入と、充電対象の携帯端末への電力供給とを少なくとも司る制御部と、
充電対象の携帯端末に着脱自在に接続され、電力供給を介する電力供給端子と、
を備え、携帯端末に着脱自在に接続されて、その携帯端末への電力供給に供する充電装置において、
電力受入端子が、ＡＣアダプター端子であり、
電力供給端子が、複数のドック端子またはLightningコネクタまたはｍｉｃｒｏＵＳＢ端子であり、その複数のドック端子またはLightningコネクタまたはｍｉｃｒｏＵＳＢ端子が、分岐したケーブルに連結された
ことを特徴とする充電装置。
【請求項３】
制御部を含む本体部の外形が、携帯容易な略直方体形状であり、
その本体部の外面に、凹部が設けられると共に、その凹部に、ＡＣアダプター端子が収容されて配設され、
ＡＣアダプター端子に備わる回動係合部が、本体部の凹部内に備わる回動係合部に対して回動可能に係合して設置され、
その本体部回動係合部に対してＡＣアダプター端子を回動させた場合には、ＡＣアダプター端子の端部が凹部の外に突出する
請求項２に記載の充電装置。
【請求項４】
制御部に接続された充放電可能な電池を備え、
ＡＣアダプター端子を外部電力供給源のみに接続した場合には、電池を充電し、
ドック端子を携帯端末のみに接続した場合には、電池で携帯端末に電力を供給し、
ＡＣアダプター端子を外部電力供給源に接続すると共にドック端子またはLightningコネクタまたはｍｉｃｒｏＵＳＢ端子を携帯端末に接続した場合には、携帯端末に電力を供給とすると共に、電池を充電可能とする
請求項２または３に記載の充電装置。
【考案の詳細な説明】
【技術分野】
【０００１】
本考案は、携帯電話などの携帯端末に着脱自在に接続して、電力供給に供する充電装置の構成に関する。
【背景技術】
【０００２】
携帯電話などの電気製品に接続して利用する充電装置は公知であり、最近は、複数の携帯端末を所持する人も増え、複数の携帯端末を同時に充電する需要が高まっている。
特許文献１は、携帯する利便性を向上させた充電装置であり、特許文献２は、複数の電気製品へ電力供給する充電装置である。
【０００３】
携帯型の電子通信装置の多様化と普及に従い、ドックコネクタ（Dock connector）を備えた携帯端末が普及しはじめている。しかし、ドック端子やLightningコネクタやｍｉｃｒｏＵＳＢ端子を有する携帯端末を複数台同時に充電できる装置はない。
【先行技術文献】
【特許文献】
【０００４】
【特許文献１】実用新案登録第３０９３３７０号「携帯用充電装置」
【特許文献２】実用新案登録第３１７１６５６号「充電器」
【考案の概要】
【考案が解決しようとする課題】
【０００５】
そこで、本考案は、ドック端子またはLightningコネクタまたはｍｉｃｒｏＵＳＢ端子を有する携帯端末を複数台同時に充電でき、携帯しての使用にも便利な充電装置を提供することを課題とする。
【課題を解決するための手段】
【０００６】
上記課題を達成するため、本考案の充電装置は、次の構成を備える。
すなわち、外部の電力供給源に着脱自在に接続され、電力受入を介する電力受入端子と、その電力受入端子からの電力受入と、充電対象の携帯端末への電力供給とを少なくとも司る制御部と、充電対象の携帯端末に着脱自在に接続され、電力供給を介する電力供給端子と、を備え、携帯端末に着脱自在に接続されて、その携帯端末への電力供給に供する充電装置において、電力受入端子が、ＵＳＢ端子であり、電力供給端子が、複数のドック端子またはLightningコネクタまたはｍｉｃｒｏＵＳＢ端子であり、その複数のドック端子またはLightningコネクタまたはｍｉｃｒｏＵＳＢ端子が、分岐したケーブルに連結されたことを特徴とする。
【０００７】
同様に、外部の電力供給源に着脱自在に接続され、電力受入を介する電力受入端子と、その電力受入端子からの電力受入と、充電対象の携帯端末への電力供給とを少なくとも司る制御部と、充電対象の携帯端末に着脱自在に接続され、電力供給を介する電力供給端子と、を備え、携帯端末に着脱自在に接続されて、その携帯端末への電力供給に供する充電装置において、電力受入端子が、ＡＣアダプター端子であり、電力供給端子が、複数のドック端子またはLightningコネクタまたはｍｉｃｒｏＵＳＢ端子であり、その複数のドック端子またはLightningコネクタまたはｍｉｃｒｏＵＳＢ端子が、分岐したケーブルに連結された構成としてもよい。
【０００８】
ここで、制御部を含む本体部の外形を、携帯容易な略直方体形状とし、その本体部の外面に、凹部を設けると共に、その凹部に、ＡＣアダプター端子を収容されて配設し、ＡＣアダプター端子に備わる回動係合部を、本体部の凹部内に備わる回動係合部に対して回動可能に係合して設置し、その本体部回動係合部に対してＡＣアダプター端子を回動させた場合には、ＡＣアダプター端子の端部が凹部の外に突出させることで、携帯時の利便に寄与させてもよい。
【０００９】
また、制御部に接続された充放電可能な電池を設け、ＡＣアダプター端子を外部電力供給源のみに接続した場合には、電池を充電し、ドック端子を携帯端末のみに接続した場合には、電池で携帯端末に電力を供給し、ＡＣアダプター端子を外部電力供給源に接続すると共にドック端子またはLightningコネクタまたはｍｉｃｒｏＵＳＢ端子を携帯端末に接続した場合には、携帯端末に電力を供給とすると共に、電池を充電可能とする回路構成とすることで、充電できる機会の増加に寄与させてもよい。
【考案の効果】
【００１０】
本考案によると、ドック端子またはLightningコネクタまたはｍｉｃｒｏＵＳＢ端子を有する携帯端末を複数台同時に充電でき、携帯しての使用にも便利である。
【図面の簡単な説明】
【００１１】
【図１】本考案による充電装置の正面説明図
【図２】ＡＣアダプター端子の不使用時における充電装置の要部背面図
【図３】ＡＣアダプター端子の使用時における充電装置の要部背面図
【図４】別実施例の充電装置の説明図
【考案を実施するための最良の形態】
【００１２】
以下に、本考案の実施形態を図面に基づいて説明する。
ここでは、２台の携帯端末に接続するタイプの充電装置を例示する。本実施例における電力供給端子の数は２であるが、３〜５程度とし、多数台の携帯端末に電力供給可能に構成してもよい。
【００１３】
図１〜３は、実施例による充電装置を示し、それぞれ、正面説明図、ＡＣアダプター端子の不使用時における要部背面図、ＡＣアダプター端子の使用時における要部背面図である。
充電装置の本体部（１０）の外形は、角に丸みを帯びた平らな略直方体であり、持ち運びやすい形状である。この外形は、略楕円柱状など、持ち運びやすい形状を適宜採用できる。
【００１４】
本体部（１０）には、外部からの電力受入と外部の携帯端末への電力供給とを司る制御回路と、その制御部に接続され充放電可能である電池とが配設される。電池としては、リチウムイオン電池やニッカド電池や小形シール鉛畜電池などの充放電可能な２次電池が使用できる。
なお、電池収容ボックスを設けて、市販の乾電池を装着する形態にしてもよい。
また、電池は設けない構成にしてもよい。
【００１５】
本体部（１０）の背面端部には、家屋に配設されたＡＣコンセントなど外部の電力供給源に接続可能であり、電力受入を介する電力受入端子であるＡＣアダプター端子（２０）が備わる。
不使用時のＡＣアダプター端子（２０）は、図２に示すように、本体部（１０）の外面に設けられた凹部（１１）に収容される。
【００１６】
凹部（１１）内には、本体部（１０）から略棒状の軸体（１２）が立設している。その軸体（１２）は、ＡＣアダプター端子（２０）の孔部（２１）に挿通している。この軸体（１２）と孔部（２１）との係合によって、ＡＣアダプター端子（２０）の端部に位置するプラグ部（２２）が、軸体（１２）を軸として回動可能に支持される。
プラグ部（２２）は、０〜１８０°回動可能であり、約９０°以上回動させれば、凹部（１１）の外に突出して、ＡＣコンセントなどに接続できる。図３は、プラグ部（２２）を１８０°回動させた状態である。
【００１７】
本体部（１０）に対するＡＣアダプター端子（２０）の回動係合手段は、任意であり、凹凸嵌合など従来公知の係合手段が適宜利用できる。また、凹部（１１）の形状も、ＡＣアダプター端子（２０）を収容できれば任意の形状を適用できる。
【００１８】
本体部（１０）の側部には、充電対象の携帯端末への電力供給を介する電力供給端子（３０）が配設される。すなわち、本体部（１０）の側面に、１本のケーブル（３１）が連結され、そのケーブル（３１）は、２本のケーブル（３２）（３３）に分岐し、その両ケーブル（３２）（３３）にそれぞれドック端子（３４）（３５）が連結される。
なお、ドック端子（３４）（３５）に代えて、複数のLightningコネクタ（３６）、または、複数のｍｉｃｒｏＵＳＢ端子（３７）を同様に設けてもよい。
【００１９】
図示の例では、１本のケーブル（３１）が本体部（１０）に固定されているが、ケーブル（３１）と本体部（１０）との接続は、ピンジャック端子などを介した着脱自在としてもよい。また、複数のケーブル（３１）を本体部（１０）に接続する構成でもよい。また、ケーブル（３１）は分岐しない構成でもよいし、３以上に分岐する構成でもよい。
【００２０】
複数のドック端子（３４）（３５）には、ｉＰｈｏｎｅ、ｉＰａｄ、ｉＰｏｄなどドック端子を有する携帯端末を接続して、複数台を同時に充電できる。
なお、ドック端子は、携帯型の電子通信装置を外部機器に接続するために用いられる接続端子であり、多様な外部機器への接続を容易にし、ステレオオーディオ出力、ビデオ出力、シリアル通信送受信、ＵＳＢ送受信、ＦｉｒｅＷｉｒｅ送受信、電源、接地など、様々な信号を入出力する端子が含まれる。具体的には、次の３０ピンコネクタを備える。1:F/W_CHG_GND、2:F/W_CHG_GND、3:TPA+、4:USB_D+、5:TPA-、6:USB_D-、7:TPB+、8:USB_PWR、9:TPB-、10:ACC_ID、11:F/W_CHG_PWR+、12:F/W_CHG_PWR+、13:ACC_PWR、14:RESERVED、15:USB_GND、16:DGND、17:RESERVED、18:TX、19:RX、20:ACC_DET、21:S_Y、22:S_C、23:CVBS、24:REM_SENSE、25:AUDIO_LIN、26:AUDIO_RIN、27:AUDIO_LOUT、28:AUDIO_ROUT、29:AUDIO_GND、30:DGND。
また、Lightningコネクタは、ドック端子の小型版であり、ドック端子と比較すると、ドック端子がアナログ信号の端子を含むのに対し、Lightningコネクタは、全てデジタル信号の８ピンであり、表裏のないリバーシブルの形状のため、向きを確認せずに簡単に接続できる利点がある。
【００２１】
以上のような充電装置によると、携帯端末への充電と、内部電池への蓄電とを、同時にも、選択的にも行える。そのためには、制御部に、ＡＣアダプター端子（２０）を外部電力供給源のみに接続した場合には、電池を充電し、電力供給端子（３０）を携帯端末のみに接続した場合には、電池で携帯端末に電力を供給し、ＡＣアダプター端子（２０）を外部電力供給源に接続すると共に電力供給端子（３０）を携帯端末に接続した場合には、携帯端末に電力を供給とすると共に、電池を充電可能とする制御回路を設ければよい。
【００２２】
本体部（１０）の裏面等にキャップを設けると共に、そのキャップ下に電池の収容空間を設けて、２次電池を本体部（１０）に対して着脱自在な構成にすると、その電池を充電後に取り外して、別の電気製品用に使用することも可能になる。
また、電池の残容量や充放電状態を示すランプを付設してもよい。すると、本充電装置を電池の容量チェック用に利用することも可能になる。
【００２３】
図４は、別実施例の充電装置の説明図である。
上記実施例との主な差異は、電力受入端子がＵＳＢ端子（３６）である点である。本実施例にも、上記実施例と同様の本体部（１０）を付設してもよいし、ＵＳＢ端子（３８）または分岐部（３９）に、上記実施例の本体部（１０）に備わる制御部と同様の回路を設けてもよい。
【産業上の利用可能性】
【００２４】
本考案の充電装置は、ドック端子またはLightningコネクタまたはｍｉｃｒｏＵＳＢ端子を有する携帯端末を複数台同時に充電でき、携帯しての使用にも便利であり、電池切れの不便の解消などに役立ち、産業上利用価値が高い。
【符号の説明】
【００２５】
１０  本体部
１１  凹部
１２  軸体
２０  ＡＣアダプター端子
２１  孔部
２２  プラグ部
３０  電力供給端子
３１〜３３  ケーブル
３４〜３５  ドック端子
３６  Lightningコネクタ
３７  ｍｉｃｒｏＵＳＢ端子
３８  ＵＳＢ端子
３９  分岐部
【図１】
0003183177.tif 000003
【図２】
0003183177.tif 000004
【図３】
0003183177.tif 000005
【図４】
0003183177.tif 000006